(57)【要約】【課題】コンパクト性および入力操作性を維持しつつ、キー入力が可能な電子機器を提供すること。【解決手段】携帯情報端末１は、文字等が表示される液晶画面１１０を有する本体１００と、この本体１００の液晶画面１１０の一部を覆うように配置されたカバー２００とを備える。カバー２００には、液晶画面１１０の一部に重なる位置に設けられ、かつ文字等を入力する複数のキーを有するキーボード２１１が設けられている。カバー２００には、液晶画面１１０を視認可能な透明板２２０を含む窓部が形成されている。【選択図】　図１
2004046517.tif 000002
【特許請求の範囲】
【請求項１】
文字等が表示される画面を有する本体と、この本体の画面を覆うように配置されたカバーとを備える電子機器であって、
前記カバーは、前記画面の一部を視認可能な窓部と、前記画面の他の一部に重なる位置に設けられ、かつ文字等を入力する複数の文字キーを有するキーボード部とを備えることを特徴とする電子機器。
【請求項２】
請求項１に記載の電子機器において、
前記画面上には、複数のソフトキーの少なくともいずれかをタッチして文字等を入力するソフトキー領域が表示され、この画面におけるソフトキー領域以外の領域は、前記ソフトキーにより入力された文字等を表示する表示領域として構成され、前記カバーの窓部は、前記表示領域と略同じ寸法および位置に形成されていることを特徴とする電子機器。
【請求項３】
請求項１または請求項２に記載の電子機器において、
前記キーボード部には、数字、英字および記号の３種類の文字のうち少なくとも２種類の文字がそれぞれ表記された上下４段左右３列の１２個の文字キーが設けられていることを特徴とする電子機器。
【請求項４】
請求項３に記載の電子機器において、
前記１２個の文字キーのうちの５個の文字キーには、母音を表すアルファベットである「Ａ」、「Ｉ」、「Ｕ」、「Ｅ」、「Ｏ」の文字が各文字キーに個別に表記され、他の７個の文字キーには、アルファベットの他の２１文字が各文字キーに３文字ずつ表記されていることを特徴とする電子機器。
【請求項５】
請求項４に記載の電子機器において、
前記１２個の文字キーのうち、第１段３個の各文字キーには、左側の文字キーから順に「Ａ」、「Ｉ」、「Ｕ」がそれぞれ表記され、第２段３個の各文字キーには、左側のキーから順に「Ｅ」、「Ｏ」、「ＹＷＸ」がそれぞれ表記され、第３段３個の各文字キーには、左側のキーから順に「ＫＧＦ」、「ＳＺＪ」、「ＴＤＶ」がそれぞれ表記され、第４段３個の各文字キーには、左側のキーから順に「ＮＣＱ」、「ＨＢＰ」、「ＲＭＬ」がそれぞれ表記されていることを特徴とする電子機器。
【請求項６】
請求項１〜請求項５のいずれかに記載の電子機器において、前記各文字キーの近傍には、各文字キーに入力の設定がなされた数字または記号がそれぞれ表記されていることを特徴とする電子機器。
【請求項７】
請求項１〜請求項６のいずれかに記載の電子機器において、前記カバーは、前記本体に対して着脱可能に構成されていることを特徴とする電子機器。
【請求項８】
請求項１〜請求項７のいずれかに記載の電子機器において、前記カバーは、前記本体に対して回動可能に構成されていることを特徴とする電子機器。
【請求項９】
請求項１〜請求項８のいずれかに記載の電子機器において、前記カバーは、カバーの表面に設けられるキーボード部と、カバーの裏面に設けられるキーボード部との２組のキーボード部を備えることを特徴とする電子機器。
【発明の詳細な説明】
【０００１】
【発明の属する技術分野】
本発明は、電子機器に関する。
【０００２】
【背景技術】
近年、急速に普及しつつあるＢ５やＢ６サイズ以下に小型化された携帯用パソコンや携帯情報端末（ＰＤＡ）等の電子機器では、小型化の妨げになる「キー入力」に見切りをつけ、液晶画面を「ペン」を用いてタッチして入力を行うペン入力が主流となっている。
このようなペン入力では、例えば、表示画面に小型の仮想キーボード（ソフトキー領域）を表示し、その仮想キーボードのキーをペンでタッチして入力する「ソフトキー入力」が多用されている。このソフトキー入力では、物理的なキーボードを用いる必要が無く、かさばらずに小型化でき携帯等に便利である。
【０００３】
【発明が解決しようとする課題】
しかしながら、入力操作性の点から、直接指で入力する物理的なキーボードを備えたものの需要も依然として高い。この場合には、例えば、本体の下部側にキーボードを含む装置を着脱可能に構成されたものや、携帯電話機のように折り畳み型の形状で、折り畳まれた際に内側となる一方側の面に画面が設けられ、他方側の面にキーボードが設けられたもの等がある。いずれにしても、キーボードを使用して画面に文字等を入力する場合には、画面とキーボードとを並べた状態で実施することとなり、電子機器全体の寸法が大きくなるという問題がある。
【０００４】
そこで、電子機器全体の小型化を考慮すると、この場合には、画面またはキーボードを小さくする必要があり、画面を小さくした場合には、キーボードを使わない人も小さな画面を利用しなければならず、表や画像等が見にくくなって操作性が悪いという問題がある。一方、キーボードを小さくした場合には、これに伴ってキーも小さくなることから、キーが押下しにくく操作性が悪いという問題がある。
【０００５】
本発明の目的は、コンパクト性および入力操作性を維持しつつ、キー入力が可能な電子機器を提供することにある。
【０００６】
【課題を解決するための手段】
本発明に係る電子機器１は、文字等が表示される画面１１０を有する本体１００と、この本体の画面を覆うように配置されたカバー２００とを備える電子機器であって、前記カバーは、前記画面の一部を視認可能な窓部２２０と、前記画面の他の一部に重なる位置に設けられ、かつ文字等を入力する複数の文字キー２１〜３２を有するキーボード部２１１とを備えることを特徴とする。
【０００７】
ここで、電子機器としては、例えば、携帯情報端末（ＰＤＡ）や、携帯用パソコン（モバイルパソコン）、ノートパソコン、携帯電話機等が考えられる。
また、電子機器を構成する本体の画面は、例えば、スタイラスペン等によるタッチ操作を検出可能な液晶画面等として構成でき、例えば、本体の略全面に渡る矩形状等に形成できる。この際、画面にソフトキーが表示され、このソフトキーをスタイラスペンでタッチすることにより、文字等の入力が可能な構成とすることができる。
【０００８】
さらに、カバーに形成される窓部は、例えば、カバーに矩形状の開口を形成し、この開口に合成樹脂製やガラス製の透明板を設けて構成することができる。この際、カバーに形成された開口の寸法と、本体の画面における前述のソフトキーが表示されていない領域（後述する表示領域）の寸法とが略同じ構成のものを採用できる。なお、開口に透明板を設けない構成としてもよい。このような窓部により、カバーに覆われるはずの画面の一部が視認可能となる。
【０００９】
本発明によれば、キーボード部を画面の一部と重なる位置に構成したので、従来のように本体の画面の外側にキーボードを設ける構成と比べて、電子機器全体の寸法を小型化できてコンパクト性を確保できる。この際、カバーに形成された窓部を通して画面を視認しながら、カバーに設けられたキーボード部の文字キーを用いて文字等を入力することにより、簡単な操作で物理的なキーボードを用いて文字等を入力できる。
また、例えば、窓部およびキーボード部を適当な寸法に設定することにより、キーボードとしての操作性と画面としての利用性を十分に確保することができる。
【００１０】
さらに、キーボードによる文字等の入力が必要ない場合には、カバーを取り外したりすること等により、画面全体を大きく利用して、電子機器の閲覧性を向上できる。特に、携帯情報端末等では、文字キーにより文字等を入力するよりも、予め、コンピュータ等から記憶したデータ等を見る場合の方が多いので、表や画像等の全体を見る必要があるデータ等では、より一層閲覧性を高めることができる。
【００１１】
また、本体の画面にソフトキーが表示されるような構成とすれば、キーボード部の文字キーを用いた文字等の入力と、画面に表示されたソフトキーを用いたソフトキー入力との両入力の方式を利用でき、使用者の好みや用途に応じて、適宜使い分けることができる。
【００１２】
以上において、前記画面上には、複数のソフトキーの少なくともいずれかをタッチして文字等を入力するソフトキー領域１１１が表示され、この画面におけるソフトキー領域以外の領域は、前記ソフトキーにより入力された文字等を表示する表示領域１１２として構成され、前記カバーの窓部は、前記表示領域と略同じ寸法および位置に形成されていることが好ましい。
【００１３】
ここで、表示領域と略同じ寸法とは、表示領域の寸法と合致する寸法に加えて、この合致する寸法に設計の誤差を含めた寸法や、表示領域よりも所定のマージンをもって大きめとした時の寸法、表示機能を損なわない程度に所定分だけ小さくした寸法等が含まれる。
また、ソフトキー領域とは、例えば、矩形状のソフトキーが複数個並んで構成された全体矩形状のキーボードが占める領域のことであり、画面の下部側の位置等に表示される。
【００１４】
このような構成によれば、本体にカバーを取り付けた場合と、本体からカバーを取り外して、ソフトキーを表示させた場合とを比べても、文字等が表示される画面の寸法および位置が略同じであるため、カバーを取り付けた状態での文字入力でも、取り外した場合と同程度の操作性を確保でき無駄がない。
【００１５】
以上において、前記キーボード部には、数字、英字および記号の３種類の文字のうち少なくとも２種類の文字がそれぞれ表記された上下４段左右３列の１２個の文字キーが設けられていることが好ましい。
【００１６】
ここで、キーボード部の文字キーとしては、例えば、１つの文字キーに複数の英字（ローマ字，アルファベット）を設定する構成にできる。この場合には、各文字キーの押下回数による切り替え操作やモード切替キーの押下操作等を行って、入力する文字を選択することにより、日本語のローマ字入力を行う構成とすることができる。
【００１７】
この場合には、一つの文字キーに複数種類の文字を設定することにより、従来のキーボードに比べて文字キーの数を少なくでき、携帯性を向上できる。さらに、このように文字キー数を少なくできることから、各文字キーを大型化できるため、より一層入力操作性を向上できる。
【００１８】
以上において、前記１２個の文字キーのうちの５個の文字キー２１〜２５には、母音を表すアルファベットである「Ａ」、「Ｉ」、「Ｕ」、「Ｅ」、「Ｏ」の文字が各文字キーに個別に表記され、他の７個の文字キー２６〜３２には、アルファベットの他の２１文字が各文字キーに３文字ずつ表記されていることが好ましい。
このような構成では、日本語でも英語でも最も使用頻度の高い母音である「Ａ」、「Ｉ」、「Ｕ」、「Ｅ」、「Ｏ」を別々の文字キーに設定したので、一回のキー操作で各文字を入力する設定にできる。このため、日本語のローマ字入力や英語入力時の操作性を向上できて高速入力も可能となる。
【００１９】
以上において、前記１２個の文字キーのうち、第１段３個の各文字キー２１〜２３には、左側の文字キーから順に「Ａ」、「Ｉ」、「Ｕ」がそれぞれ表記され、第２段３個の各文字キー２４〜２６には、左側のキーから順に「Ｅ」、「Ｏ」、「ＹＷＸ」がそれぞれ表記され、第３段３個の各文字キー２７〜２９には、左側のキーから順に「ＫＧＦ」、「ＳＺＪ」、「ＴＤＶ」がそれぞれ表記され、第４段３個の各文字キー３０〜３２には、左側のキーから順に「ＮＣＱ」、「ＨＢＰ」、「ＲＭＬ」がそれぞれ表記されていることが好ましい。
【００２０】
ここで、母音以外の文字が記載された文字キー、すなわち、３文字の子音（アルファベット）が表記された文字キーでは、例えば、文字キーの押下回数に応じて、順番に入力文字が切り替えられる構成とすることができる。
【００２１】
このような構成によれば、文字キーを最大３回、ほとんどは１〜２回押下するだけで文字を入力できる。すなわち、他の７個の文字キーに表記された「Ｋ、Ｓ、Ｔ、Ｎ、Ｈ、Ｍ、Ｙ、Ｒ、Ｗ」のうちの７個のキーを１回の押下で入力できるように設定できるため、日本語の清音（例えば、か行、さ行、た行、な行、は行、や行、わ行の文字）は、子音キーと母音キーとを１回ずつ押下するだけでよく、非常に簡単に入力することができる。このため、文字入力時に文字キーを押下する回数を少なくできて、入力操作を簡単にでき、仮名文字を非常に効率的に入力することができる。
【００２２】
また、母音が文字キー群の上段側（１段目および２段目）であり、子音が下側（２〜４段目）にあるので、各文字キーの位置を把握しやすく、操作性を向上できる。特に、母音「Ａ」、「Ｉ」、「Ｕ」、「Ｅ」、「Ｏ」は、第１段目から第２段目に向かってかつ左から右に向かって配置されているため、各母音のキー位置を覚えやすく、より操作性を向上できる。
さらに、各子音も第３段目から第４段目に向かって「か行」を入力する「Ｋ」、「さ行」を入力する「Ｓ」とほぼ五十音順に配置されているので、各子音のキー位置も容易に把握できる。
【００２３】
以上において、前記各文字キーの近傍には、各文字キーに入力の設定がなされた数字または記号がそれぞれ表記されていることが好ましい。
この場合には、例えば、キーボードにおいて、１２個の文字キー以外に、各文字キーから入力される文字等の切り替えを行うモード切替キーを設け、このモード切替キーによりモードが切り替えられた状態で、各文字キーの近傍に表記された数字等を入力可能に設定することにより、各文字キーに表記する文字等の数を減らすことができて、表記文字を大きく見やすくできる。また、各文字キーの近傍に、各文字キーに設定された数字等を表記することにより、各文字キーに何の数字等が設定されているかを簡単に確認、把握できる。
【００２４】
以上において、前記カバーは、前記本体に対して着脱可能に構成されていることが好ましい。
このような構成によれば、カバーに設けられたキーボード部を使用せずに画面全体を見たい場合には、カバーを取り外すことにより、本体を軽量化した状態で使用できる。
【００２５】
以上において、前記カバーは、前記本体に対して回動可能に構成されていることが好ましい。
この場合には、例えば、カバーのキーボードを使用している際に、画面全体を見たい場合には、わざわざカバーを本体から取り外すことなく、本体に対してカバーを回動させるだけで簡単に実施できる。また、カバーのキーボードを再度使用したい場合には、本体に対して前述とは反対の方向に回動することにより簡単に対応できる。
【００２６】
以上において、前記カバー２００は、カバーの表面に設けられるキーボード部２１１Ａと、カバーの裏面に設けられるキーボード部２１１Ｂとの２組のキーボード部を備えるものでもよい。
ここで、カバーを開いた状態では、カバーの裏面のキーボード部を利用して文字などを入力することができる。この場合には、画面全体を外部に露出できるので、入力領域を大きくすることができる。一方、カバーを閉じた状態では、カバーの表面に設けられるキーボード部を利用して入力することができる。この場合には、電子機器をコンパクトな状態で利用することができる。
従って、キーボード部を利用した２種類の入力方式を、利用者がシチュエーション等に応じてその都度適宜選択できるので、使い勝手のよい電子機器とすることができる。
【００２７】
【発明の実施の形態】
本発明の第１実施形態に係る電子機器としての携帯情報端末を図面に基づいて説明する。
図１は、携帯情報端末１を示す分解斜視図である。
図１に示すように、携帯情報端末１は、金属製等の箱状の本体１００と、この箱状の本体１００の表面１００Ａ側に取り付けられた板状のカバー２００とを備える。
【００２８】
本体１００の表面１００Ａには、文字等が表示される矩形状の液晶画面１１０と、この液晶画面１１０の下側に設けられたカーソルボタン１２０Ａを含む操作ボタン１２０とが設けられている。
液晶画面１１０は、図示しないスタイラスペンによるタッチ操作を検出可能で、かつ本体１００の表面１００Ａの略全面にわたって構成され、このようなタッチ操作による入力文字を表示したり、通信回線や記録媒体等を介して取得した画像等の各種データを表示したりする。
【００２９】
また、図１に示すように、液晶画面１１０の下部側には、操作ボタン１２０の押下等により、矩形状のソフトキーボード１１１が表示される。この際、液晶画面１１０において、ソフトキーボード１１１の上部側の位置には、ソフトキーボード１１１のタッチ操作により入力された文字等を表示する矩形状の表示領域１１２が設けられる。
【００３０】
ソフトキーボード１１１は、ソフトウェアとしてのキー（ソフトキー）を複数含んで構成され、これらのソフトキーを前記スタイラスペンでタッチ操作することにより、各ソフトキー内に表示される文字の入力が可能である。液晶画面１１０において、ソフトキーボード１１１が占める領域がソフトキー領域となっている。
【００３１】
また、本体１００の表面１００Ａの上端部には、カバー２００を接続するための接続部１３０が形成されている。この接続部１３０は、本体１００の左右端部に設けられた着脱ボタン１３０Ａを操作することにより、カバー２００の接続部２１２と着脱可能な構成となっている。
【００３２】
なお、図示を省略するが、本体１００には、外部機器との通信を行う赤外線ポートや、記録媒体（メモリカード、ＰＣカード等）を接続するスロット、携帯電話機等の接続ポート、クレードルを接続するポート等の外部機器接続用の各種インターフェースが設けられている。また、音声の出力用のスピーカも設けられている。
【００３３】
カバー２００は、図１に示すように、本体１００の液晶画面１１０を覆う部材であり、本体１００の表面１００Ａに対応する寸法で金属や樹脂製等の板状として構成されている。カバー２００は、上部側に矩形状の開口部２１０Ａが形成されたカバー本体２１０と、この開口部２１０Ａに嵌めこまれた合成樹脂製の透明板２２０とを備える。
【００３４】
カバー本体２１０は、その表面における開口部２１０Ａの下部側に設けられたキーボード部としてのキーボード２１１と、上端部に形成され本体１００への接続用の接続部２１２とを備える。
キーボード２１１は、本体１００にカバー２００が取り付けられた際に、液晶画面１１０の一部、すなわち、ソフトキーボード１１１が表示される部分に重なる位置に設けられている。
【００３５】
図２は、携帯情報端末１のカバー２００のキーボードを示す図である。
キーボード２１１は、図２に示すように、上下４段左右３列の１２個の円形状の文字キー２１〜３２と、これらの文字キー２１〜３２の両側に設けられる円形状または楕円形状の１１個の機能キー５１〜６１とを有する。
【００３６】
各文字キー２１〜３２のキートップの上側には、その左側（キートップ中心に対して左上方向側）、真ん中（キートップ中心に対して上方向側）、右側（キートップ中心に対して右上方向側）の順で示すと、文字キー２１に「（）’」、文字キー２２に「｛｝”」、文字キー２３に「「」＾」、文字キー２４に「＜＞｀」、文字キー２５に「［］チルダ記号」、文字キー２６に「／％│」、文字キー２７に「−＋＿」、文字キー２８に「＠＊＃」、文字キー２９に「￥＆＄」、文字キー３０に「・：；」、文字キー３１に「、＝〜」、文字キー３２に「。！？」がそれぞれ表記されている。
【００３７】
１２個の文字キー２１〜３２のうちの５個の文字キー２１〜２５には、その左下側（キートップ中心に対して左下方向側）には、母音「Ａ」、「Ｉ」、「Ｕ」、「Ｅ」、「Ｏ」が単独で表記されている。なお、文字キー２４の「Ａ」の右側には、促音を入力するための「っ」が表記されている。
【００３８】
他の７個の文字キー２６〜３２には、他のアルファベット２１文字が３文字ずつ表記されている。具体的には、キートップ中心に対して左下方向側、下方向側、右下方向側の順で示すと、文字キー２６に「ＹＷＸ」、文字キー２７に「ＫＧＦ」、文字キー２８に「ＳＺＪ」、文字キー２９に「ＴＤＶ」、文字キー３０に「ＮＣＱ」、文字キー３１に「ＨＢＰ」、文字キー３２に「ＲＭＬ」がそれぞれ表記されている。
【００３９】
すなわち、日本語のローマ字入力において、「か行、さ行、た行、な行、は行、ら行、や行」を入力する子音「Ｋ、Ｓ、Ｔ、Ｎ、Ｈ、Ｒ、Ｙ」が各文字キー２６〜３２の左下方向側に表示され、「が行、ざ行、だ行、ば行」を入力する子音「Ｇ、Ｚ、Ｄ、Ｂ」や「ま行、わ行」を入力する子音「Ｍ、Ｗ」や「Ｃ」が各文字キー２６〜３２の下方向側に表示され、「ぱ行」を入力する子音「Ｐ」や「Ｆ、Ｊ、Ｖ、Ｑ、Ｌ、Ｘ」が各文字キー２６〜３２の右下方向側に表記されている。
【００４０】
第１段３個の文字キー２１〜２３において、文字キー２１の左上側の近傍には数字「１」が、文字キー２２の左上側の近傍には数字「２」が、文字キー２３の左上側の近傍には数字「３」が表記されている。また、文字キー２３の右上側の近傍には、カーソルを示す矢印「←」が表記されている。
【００４１】
第２段３個の文字キー２４〜２６において、文字キー２４の左上側の近傍には数字「４」が、文字キー２５の左上側の近傍には数字「５」が、文字キー２６の左上側の近傍には数字「６」が表記されている。また、文字キー２６の右上側の近傍には、カーソルを示す矢印「→」が表記されている。
【００４２】
第３段３個の文字キー２７〜２９において、文字キー２７の左上側の近傍には数字「７」が、文字キー２８の左上側の近傍には数字「８」が、文字キー２９の左上側の近傍には数字「９」が表記されている。また、文字キー２９の右上側の近傍には、カーソルを示す矢印「↑」が表記されている。
【００４３】
第４段３個の文字キー３０〜３２において、文字キー３０の左上側の近傍には数字「０」が、文字キー３１の左上側の近傍には数字「，」が、文字キー３２の左上側の近傍には数字「．」が表記されている。また、文字キー３２の右上側の近傍には、カーソルを示す矢印「↓」が表記されている。
【００４４】
なお、文字キー２３，２６，２９，３２の右上側の近傍に表記された「←」，「→」，「↑」，「↓」は、後述する「Ｆｎ」が表記された機能キー５６とともに押下することにより、使用が可能となっている。
【００４５】
機能キー５１〜６１には、入力モードの切り替えや文字入力時に利用する各種機能が設定されている。すなわち、各機能キー５１〜６１のキートップには、それらの機能キー５１〜６１が単独で押された際に入力される機能を示す記号や文字が表示されている。なお、入力モードとしては、「仮名モード（ひらがなモード，カタカナモード）」、「英字モード」、「数字モード」、「記号モード」の４つの入力モードがある。
【００４６】
機能キー５１のキートップには、「数字」と表記され、入力モードを数字入力用の「数字モード」へ切り替える機能が設定されている。
機能キー５２のキートップには、「記号」と表示され、入力モードを記号入力用の「記号モード」へと切り替える機能が設定されている。
【００４７】
機能キー５３のキートップには、「英字」と表記され、入力モードを「英字モード」に切り替える機能に加えて、この「英字モード」を「英小文字モード」または「英大文字モード」に切り替える機能も設定されている。
機能キー５４のキートップには、「あ／ア」と表記され、入力モードを「仮名モード」に切り替える機能に加えて、この「かなモード」を「ひらがなモード」または「カタカナモード」に切り替える機能も設定されている。
【００４８】
機能キー５５のキートップには、「Ｓｈｉｆｔ」と表記され、一般的なシフトキーの機能が設定されており、英字モードで１文字入力する際のそのアルファベットを大文字または小文字に切り替える機能や、「ひらがなモード」および「カタカナモード」で１文字入力する際のかな（カナ）を大文字または小文字に切り替える機能が設定されている。
機能キー５６のキートップには、「Ｆｎ」と表記され、他のキーと組み合わせて、各キーに割り付けられた機能を使用可能とするＦｎキーとしての機能が設定されている。
【００４９】
機能キー５７のキートップには、「Ｓｐａｃｅ　変換　⇒」状のものが表記され、空白を挿入するスペースキーとしての機能に加え、入力文字を漢字等に変換したり、続けて入力されて変換候補を表示したりする変換キーとしての機能が設定されている。なお、機能キー５７は、他の機能キー５１〜５６，５８〜６１が円形状であるのとは異なり、楕円形状に形成されている。
【００５０】
機能キー５８のキートップには、「ＢＳ」と表記され、カーソル位置（入力位置）の左側の１文字を削除するバックスペースキーの機能が設定されている。
機能キー５９のキートップには、「Ａｌｔ」と表記され、他の文字キーと組み合わせて所定の機能を発揮するオルトキーとしての機能が設定されている。
【００５１】
機能キー６０には、「Ｃｔｒｌ」と表記され、他の文字キーと組み合わせて、例えば、ショートカット機能等の所定の機能を発揮するコントロールキーとしての機能が設定されている。
機能キー６１には、矢印を図示した記号が表記され、未確定の文字の確定や確定後に改行する機能が設定されている。
【００５２】
また、各機能キー５１〜５５，５８〜６１の右上側の近傍には、機能を示す文字や記号等がそれぞれ表記されている。これらの文字等は、「Ｆｎ」と表記された機能キー５６とともに押下することにより使用が可能となる。
【００５３】
機能キー５１の右上側の近傍には、「ＥＳＣ」と表記され、機能キー５１には、誤操作を取り消したり、状況から抜け出したりするために使用するエスケープキーとしての機能が設定されている。
機能キー５２の右上側の近傍には、「半」と表記され、機能キー５２には、入力した文字を半角または全角に切り替える機能が設定されている。
【００５４】
機能キー５３の右上側の近傍には、「Ｔａｂ」と表記され、機能キー５３には、文書の作成中にカーソルを移動するタブキーとしての機能が設定されている。
機能キー５４の右上側の近傍には、「小」と表記され、機能キー５４には、入力した英字等を小文字または大文字に切り替える機能が設定されている。
機能キー５５の右上側の近傍には、「Ｃａｐｓ」と表記され、機能キー５５には、入力されたアルファベットを全て大文字にするキャプスロックキーとしての機能が設定されている。
【００５５】
機能キー５８の右上側の近傍には、「Ｄｅｌ」と表記され、機能キー５８には、ファイル等を削除するデリートキーとしての機能が設定されている。
機能キー５９の右上側の近傍には、「△□△」様の記号が表記され、機能キー５９には、直前に入力された文字を反復する機能が設定されている。
【００５６】
機能キー６０の右上側の近傍には、「ＰｇＵｐ」と表記され、機能キー６０には、文書の作成中にカーソルを前ページ側へと移動するページアップキーとしての機能が設定されている。
機能キー６１の右上側の近傍には、「ＰｇＤｎ」と表記され、機能キー６１には、文書の作成中にカーソルを後ページ側へと移動するページダウンキーとしての機能が設定されている。
【００５７】
以下、これらのキー２１〜３２，５１〜６１を用いて、文字等を入力する手順について説明する。
文字キー２１〜３２において、キートップの上段に表記された記号等を入力する場合には、まず、「記号」と表記された機能キー５２を押下して、「記号モード」に設定する。この状態で、各文字キー２１〜３２を押下すると、この押下の回数に応じて、各文字キー２１〜３２に表記された上段の記号等が左側から順番に入力可能となる。例えば、文字キー２６を２回押下すると「％」が入力可能となり、文字キー３１を３回押下すると「〜」が入力可能となる。この後、機能キー６１を押下して確定することにより記号等を入力する。
【００５８】
次に、キートップの下段に表記された文字等により英字を入力する場合には、「英字」と表記された機能キー５３を押下して、「英字モード」に設定し、前述同様に、入力文字等を押下回数によって選択し確定させて文字等の入力を行う。例えば、文字キー２７を２回押下すると「Ｇ」が入力可能となる。
【００５９】
また、キートップの下段に表記された文字等により日本語のローマ字入力を行う場合には、「あ／ア」と表記された機能キー５４を押下して、「ひらがなモード」または「カタカナモード」に設定し、前述同様に、入力文字等を押下回数によって選択し確定させて文字等の入力を行う。
【００６０】
例えば、「ひらがなモード」に設定した場合において、文字キー２８を３回押下した後に文字キー２１を１回押下すると、「じゃ」が入力可能となり確定により「じゃ」が入力される。
また、例えば、「カタカナモード」に設定した場合において、文字キー２７を１回押下した後に文字キー２５を１回押下すると、「コ」が入力可能となり確定により「コ」が入力される。
【００６１】
以上のように、日本語のローマ字入力の場合には、仮名（ひらがな，カタカナ）の文字は、文字キー２７〜３２の１〜３回の押下に続いて、母音を示す文字キー２１〜２５を１回押下することにより入力できる。従って、平均２回程度の押下で、かな（カナ）文字が入力でき、一般的な携帯電話機のように一つのキーに「行（か行，さ行，た行・・・）」が設定され、押下回数で入力文字を選択する場合に比べて、入力時の平均押下回数を減少できる。
【００６２】
図３は、携帯情報端末１を示す正面図である。
図１に示すように、透明板２２０は、矩形状の窓部として機能するものであり、この透明板２２０越しに、本体１００の液晶画面１１０の視認が可能となっている。図１に示すように、透明板２２０から構成される窓部の寸法は、液晶画面１１０の表示領域１１２と同じ寸法として構成されている。これにより、液晶画面１１０での表示領域１１２の全面を無駄なく利用できる。
【００６３】
図３に示すように、カバー２００を本体１００に装着すると、液晶画面１１０の表示領域１１２とカバー２００の前記窓部が合致する位置となり、カバー２００をした状態のままで、スケージュール管理ソフト等における文字等の入力が可能である。
【００６４】
図４は、本体１００に対してカバー２００が回動する様子を示す斜視図である。図４に示すように、カバー２００と本体１００とは、本体１００の接続部１３０に設けられた図示しないピンと、カバー２００の接続部２１２に形成された孔との係合により、互いに取り付けられている。
【００６５】
また、本体１００の両側面に設けられた着脱ボタン１３０Ａを互いに近接する方向に押圧すると、前記ピンが本体１００の内部側に引っ込んで、これらのピンとカバー２００の孔との係合が外れ、本体１００からカバー２００を取り外すことができる。
【００６６】
一方、本体１００にカバー２００が取り付けられた場合には、前記ピンと孔との係合により、接続された接続部１３０，２１２同士がヒンジとして機能し、このヒンジとしての機能により、カバー２００は本体１００に対して回動可能な構成となっている。
【００６７】
次に、各場合における携帯情報端末１の利用手順について説明する。
＜１＞ソフトキーボード１１１を用いて文字等を入力する場合
まず、使用者は、本体１００の液晶画面１１０全体が視認できるように、液晶画面１１０の全体が露出された状態とする。具体的には、図１に示すように、着脱ボタン１３０Ａを押圧して、本体１００からカバー２００を取り外すか、または、図４に示すように、本体１００に対しカバー２００を回動させる。
【００６８】
次に、図１に示すように、使用者は、この状態で所定の操作ボタン１２０を押下することにより、液晶画面１１０上にソフトキーボード１１１を表示させ、図示しないスタイラスペンで各ソフトキーをタッチすることにより、文字等を入力する。
【００６９】
このようにして文字等の入力が終了したら、使用者は、再度、操作ボタン１２０を押下して液晶画面１１０からソフトキーボード１１１を消して、入力操作を終了する。
【００７０】
＜２＞カバー２００のキーボード２１１を用いて文字等を入力する場合
まず、使用者は、図１に示すように、図３に示すように、本体１００の液晶画面１１０を覆うようにカバー２００を配置する。すると、キーボード２１１が本体１００側に電気的に接続され、ソフトキーボード１１１が使用可能な状態となる。なお、このような構成としては、例えば、カバー２００が本体１００の液晶画面１１０上に取り付けられた際に、接続部１３０，２１２の部分が電気的に接続されるものや、カバー２００の内側に所定の突起が形成され、この突起が液晶画面１１０に当接されて電気的に接続されるもの等が考えられ、このような手段により、キーボード２１１の使用を可能とする設定にできる。
【００７１】
次に、使用者は、カバー２００の前記窓部を通して、液晶画面１１０の表示領域１１２を視認しながら、キーボード２１１の各キー２１〜３２，５１〜６１を押下することにより文字等を入力する。具体的には、例えば、図３に示すような予定表に予定を日本語で入力する場合には、機能キー５４を押下して「ひらがな入力モード」とし、この状態で文字キー２１〜３２を押下し、適宜、機能キー５７を押下して漢字に変換することにより、日本語のローマ字入力を行う。このようにして文字等の入力が終了したら、使用者は、本体１００からカバー２００を回動させたり取り外したりして、入力操作を終了する。
【００７２】
＜３＞液晶画面１１０全体を見る場合（文字入力が不要な場合）
本体１００の液晶画面１１０全体が視認できるように、使用者は、図１に示すように、着脱ボタン１３０Ａを押圧して、本体１００からカバー２００を取り外すか、または、図４に示すように、本体１００に対しカバー２００を回動させる。このようにすれば、例えば、図４に示すように、液晶画面１１０に予定表の略全体を表示することができ、この際適宜、操作ボタン１２０を押下して、液晶画面１１０の予定表をスクロールすることにより、効率よく表示画面を見ることができる。このようにして画面の視認が終了したら、使用者は、カバー２００を元の状態に戻して操作を終了する。
【００７３】
本実施形態によれば、以下のような効果がある。
（１）キーボード２１１を液晶画面１１０の一部に重なる位置に構成したので、従来のように本体の画面の外側にキーボードを設ける構成と比べて、携帯情報端末１全体の寸法を小型化できてコンパクト性を確保できる。この際、カバー２００に形成された透明板２２０から構成される窓部を通して液晶画面１１０を視認しながら、カバー２００に設けられたキーボード２１１のキー２１〜３２，５１〜６１を用いて文字等を入力することにより、簡単な操作で物理的なキーボード２１１を用いて文字等を入力できる。
【００７４】
（２）キーボード２１１による文字等の入力が必要ない場合には、カバー２００を液晶画面１１０上から外すことにより、液晶画面１１０の全体を大きく利用して、携帯情報端末１の閲覧性を向上できる。特に、携帯情報端末１では、キー２１〜３２，５１〜６１により文字等を入力するよりも、予め、コンピュータ等から記憶されたデータ等を見る場合の方が多いので、ＧＵＩ（ｇｒａｐｈｉｃａｌ　ｕｓｅｒ　ｉｎｔｅｒｆａｃｅ）等により液晶画面１１０上のアイコンを用いてタッチ操作することにより、表や画像等の全体を見る必要があるデータ等では、より一層の閲覧性を高めることができる。
【００７５】
（３）本体１００の液晶画面１１０にソフトキーボード１１１が表示される構成としたので、キーボード２１１のキー２１〜３２，５１〜６１を用いた文字等の入力と、液晶画面１１０に表示されたソフトキーボード１１１による入力との両入力の方式を利用でき、使用者の好みや用途に応じて、適宜使い分けることができる。
【００７６】
（４）液晶画面１１０の表示領域１１２と透明板２２０とを略同じ寸法および位置に構成したので、本体１００にカバー２００を取り付けた場合と、本体１００からカバー２００を外した場合とを比べても、文字等が表示される表示領域１１２の寸法が略同じとなるため、カバー２００を取り付けた状態でも、取り外した場合と同程度の操作性を確保できる。
【００７７】
（５）キーボード２１１の寸法とソフトキーボード１１１の寸法とを略同じとなるように構成したので、キーボード２１１の使用時とソフトキーボード１１１使用時とで同程度の操作性を確保できる。
【００７８】
（６）一つの文字キー２１〜３２に複数種類の文字を設定することにより、従来のキーボードに比べて文字キー２１〜３２の数を少なくでき携帯性を向上できる。さらに、このように文字キー２１〜３２の数を少なくできることから、各文字キー２１〜３２を大型化できて、より一層入力操作性を向上できる。
【００７９】
（７）日本語でも英語でも最も使用頻度の高い母音である「Ａ」、「Ｉ」、「Ｕ」、「Ｅ」、「Ｏ」を別々の文字キー２１〜２５に設定したので、一回のキー操作で各文字を簡単に入力でき、日本語のローマ字入力や英語入力時の操作性を向上でき高速入力も可能となる。
【００８０】
（８）文字キー２６〜３２には、左上側から右下側に向かって、「ＹＷＸ」、「ＫＧＦ」、「ＳＺＪ」、「ＴＤＶ」、「ＮＣＱ」、「ＨＢＰ」、「ＲＭＬ」をそれぞれ表記したので、文字キー２１〜３２を最大３回、ほとんどは１〜２回押下するだけで文字を入力できる。すなわち、日本語の清音（例えば、か行、さ行、た行、な行、は行、や行、わ行の文字）は、子音を示す文字キー２６〜３２と母音を示す文字キー２１〜２５とを１回ずつ押下するだけで、非常に簡単に入力できる。このため、文字入力時に文字キー２１〜３２の押下回数を少なくできて、入力操作を簡単にでき非常に効率的に文字入力できる。
【００８１】
（９）母音を示す文字キー２１〜２５をキーボード２１１の上段側に、また、子音を示す文字キー２６〜３２を下段側に分けて構成したので、各文字の位置が把握しやすく、操作性を向上できる。
【００８２】
（１０）母音を示す「Ａ」、「Ｉ」、「Ｕ」、「Ｅ」、「Ｏ」を、第１段目から第２段目に向かって左から右に配置したので、各母音を示す文字キー２１〜２５の位置を覚えやすく、より操作性を向上できる。
【００８３】
（１１）同様に、子音を第３段目から第４段目に向かって「か行」を入力する「Ｋ」、「さ行」を入力する「Ｓ」とほぼ五十音順に配置したので、各子音を示す文字キー２６〜３２の位置も容易に把握できる。
【００８４】
（１２）キーボード２１１において、各文字キー２１〜３２の近傍に、各文字キー２１〜３２に入力が設定された数字または記号をそれぞれ表記したので、文字キー２１〜３２にこれらの数字や記号を表記する場合に比べて、各文字キー２１〜３２に表記する文字等の数を減らすことができて、表記文字を大きく見やすくできる。さらに、各文字キー２１〜３２の近傍に、各文字キー２１〜３２に設定された数字等を表記することにより、各文字キー２１〜３２に何の数字等が設定されているかを簡単に確認、把握できる。
【００８５】
（１３）カバー２００と本体１００とを着脱可能に構成したので、カバー２００に設けられたキーボード２１１を使用せずに、液晶画面１１０の全体を見たい場合には、カバー２００を取り外すことにより、本体１００を軽量化した状態で使用できる。
【００８６】
（１４）本体１００に対してカバー２００が回動する構成としたので、カバー２００のキーボード２１１を使用している際に、液晶画面１１０の全体を見たい場合には、わざわざカバー２００を本体１００から取り外すことなく、本体１００に対してカバー２００を回動させるだけで簡単に実施できる。また、カバー２００のキーボード２１１を再度使用したい場合には、本体１００に対して前述とは反対方向に回動することにより簡単に対応できる。
【００８７】
次に、本発明の第２実施形態について図５，６を参照して説明する。なお、本実施形態において、前記第１実施形態と同一または同様の構成には同一符号を付し、説明を省略あるいは簡略する。
【００８８】
第２実施形態の携帯情報端末１は、前記第１実施形態と同様の本体１００と、カバー２００とを備えている。但し、前記第１実施形態では、カバー２００の表面側にのみキーボード部としてのキーボード２１１が設けられていたのに対し、本実施形態では、カバー２００の表面側に第１のキーボード部であるキーボード２１１Ａが設けられ、カバー２００の裏面側、つまり図６に示すようにカバー２００を開いた際に利用可能となる面には第２のキーボード部であるキーボード２１１Ｂが設けられている。すなわち、カバー２００には、２組のキーボード２１１Ａ，２１１Ｂが設けられている。
なお、本実施形態では、各キーボード２１１Ａ，２１１Ｂは、キー数、文字配列等が同一の構成とされている。
また、第２実施形態のカバー２００は、その一側面側が本体の側面にヒンジ等で回動可能に取り付けられており、横開き形式で開閉されるように構成されている。
【００８９】
このような本実施形態では、カバー２００を閉じた場合には、前記第１実施形態と同じく、カバー２００の前記窓部を通して、液晶画面１１０の表示領域１１２を視認しながら、第１のキーボード２１１Ａの各キー２１〜３２，５１〜６１を押下することにより文字等を入力する。
【００９０】
一方、カバー２００を開いた場合には、カバー２００の裏面側の第２のキーボード２１１Ｂを利用して文字等を入力できる。この際、液晶画面１１０の全体を情報の表示・入力用の領域として利用することができる。
なお、カバー２００を開いた際に、前記第１実施形態と同様に、液晶画面１１０上にソフトキーボード１１１を表示させ、図示しないスタイラスペンで各ソフトキーをタッチして文字入力を行ってもよい。
【００９１】
このような、本実施形態においても、前記第１実施形態と同様の作用効果を奏することができる。
その上、カバー２００の裏面側にもキーボード２１１Ｂを備えているので、カバー２００を開いて画面１１０全体を入力や情報表示領域として利用しつつ、キーボード２１１Ｂを用いた文字入力方式も利用することができる。このため、利用者は、カバー２００を閉じてキーボード２１１Ａを用いることでコンパクトな状態で文字入力を行うことができる入力方法、カバー２００を開いてキーボード２１１Ｂを用いることで、大きな入力・情報表示領域を確保した状態で文字入力を行うことができる入力方法、カバー２００を開いてソフトキーボード１１１を利用して文字入力を行う入力方法から、自分の好みや利用時のシチュエーション等に応じて適宜選択して利用することができ、使い勝手のよい携帯情報端末１とすることができる。
【００９２】
さらに、カバー２００は、横開き方式とされているので、カバー２００を開いた場合は閉じた場合に比べてサイズが大きくなるが、あたかも単行本を開いて読んでいるような形で利用できるため、カバー２００を閉じた場合と比較しても、遜色の無い使い勝手を実現することができる。
【００９３】
なお、本発明は、前記実施の形態に限定されるものではなく、本発明の目的を達成できる範囲での変形、改良等は本発明に含まれるものである。例えば、電子機器として携帯情報端末を採用したが、携帯電話機や携帯型やノート型のパソコン等のその他の電子機器であってもよい。
【００９４】
前記実施形態のカバー２００において、上部側に透明板２２０を設けるとともに、下部側にキーボード２１１を設けたが、これに限らず、例えば、透明板２２０を下部側でかつキーボード２１１を上部側に配置してもよいし、例えば、本体１００を横長とすることにより左右に配置してもよく、従って、透明板２２０およびキーボード２１１の配置する位置は特に限定されない。
また、透明板２２０による窓部の寸法は、表示領域１１２を含み表示領域１１２より大きな寸法として構成してもよい。例えば、窓部の寸法を、ソフトキーボード１１１が表示される部分までかかる寸法としてもよい。
【００９５】
また、カバー２００のキーボード２１１において、上段側に母音を設定し下段側に子音を設定したが、これに限らず、母音と子音とを反対側の位置に設定してもよく、各文字を設定する文字キーの位置は特に限定されない。
前記実施形態において、ソフトキーボード１１１を用いて文字等の入力をしていたが、必ずしも、ソフトキーボード１１１を用いなくてもよい。
【００９６】
前記実施形態において、文字キー２１〜３２の数を１２個としたが、これには限定されず、例えば、一般的なキーボードの配列（ＱＷＥＲＴＹ配列）や、五十音順の配列等と同じ数の文字キーを設けてもよい。また、文字キー２１〜３２の配置位置も、上下４段左右３列に限定されない。
【００９７】
さらに、文字キー２１〜３２では、母音については「あいうえお」の順に配列し、子音については「か、さ、た、な・・・」と「行」の順に配列したが、このような配列には限定されない。ただし、前記実施形態のように、ある規則性を持って配列した方が、使用者が設定を覚えやすくて効率的な入力が可能になるという利点がある。
【００９８】
各文字キー２１〜３２または機能キー５１〜５５，５８〜６１の近傍に、所定の文字や記号を表記し、その近傍のキーにより、これらの文字等を入力可能に構成したが、これに限らず、例えば、このような近傍の表記をしなくてもよいし、また、これらの近傍の表記を各キー２１〜３２，５１〜５５，５８〜６１に直接表記してもよい。ただし、近傍に表記したほうが、各キー２１〜３２，５１〜５５，５８〜６１の表記を見やすくすることができ、誤入力等を防止して、効率的な入力を可能とする利点がある。
【００９９】
カバー２００を本体１００から着脱可能で、かつ回動自在に構成したが、これに限らず、例えば、回動または着脱の一方の構造のみを備える構成や、いずれの構造も備えない構成としてもよい。例えば、カバー２００が本体１００に対して、スライド式にずれる構造等を採用できる。
【０１００】
カバー２００の両面にキーボード２１１Ａ，２１１Ｂを設ける際に、前記第２実施形態では、同一構成のキーボード２１１Ａ，２１１Ｂを設けていたが、キー数や文字配列などが相違する構成のキーボード２１１Ａ，２１１Ｂをそれぞれ設けてもよい。例えば、裏面側のキーボード２１１Ｂには、画面スクロール用のキーを別途設ける等してもよい。
【０１０１】
また、前記第２実施形態では、本体１００に対してカバー２００は右開きとなっており、特に右手でキーボード２１１Ｂを操作する場合に利用しやすい構成となっていたが、左手でキーボード２１１Ｂを操作し易いように、カバー２００を左開きとしてもよい。
さらに、本体１００の下端部にカバー２００の下端部を回動自在に取り付けて、カバー２００を本体１００に対して下側に開くように構成してもよい。この場合には、裏面のキーボード２１１Ｂを右手および左手のどちらでも同じように入力でき、製造する場合も１種類でよいという利点がある。
【０１０２】
その他、本発明の実施時の具体的な構造および形状、寸法、配合、用途等は、本発明の目的を達成できる範囲で、他の構造等としてもよい。
【０１０３】
【発明の効果】
請求項１に記載の発明によれば、画面とキーボードとが重なる位置となるので、従来のように画面の外側にキーボードを設ける場合に比べて、電子機器全体の寸法を小型化できてコンパクト性を確保できるという効果がある。また、使用する際には、カバーに形成された窓部を通して画面を視認しながら、カバーに設けられたキーボード部の文字キーを用いて文字等を入力することにより、簡単な操作で文字等を入力できる。
【０１０４】
請求項２に記載の発明によれば、本体にカバーを取り付けた場合と、本体からカバーを取り外した場合とを比べても、文字等が表示される画面の寸法が略同じであるため、カバーを取り付けた状態での文字入力でも、取り外した場合と同程度の操作性を確保でき、無駄を防止できるという効果がある。
【０１０５】
請求項３に記載の発明によれば、一つの文字キーに複数種類の文字を設定することにより、従来の一つのキーに１文字を割り当てたキーボードに比べて文字キーの数を少なくでき、携帯性を向上できる。さらに、このように文字キー数を少なくできることから、各文字キーを大型化できるため、より一層入力操作性を向上できるという効果がある。
【０１０６】
請求項４に記載の発明によれば、使用頻度の高い母音である「Ａ」、「Ｉ」、「Ｕ」、「Ｅ」、「Ｏ」を別々の文字キーに設定したので、一回のキー操作で各文字を入力する設定にできて、日本語のローマ字入力や英語入力時の操作性を向上できて高速入力も可能となるという効果がある。
【０１０７】
請求項５に記載の発明によれば、文字キーを最大３回、ほとんどは１〜２回押下するだけで文字を入力できるため、文字入力時に文字キーを押下する回数を少なくできて、入力操作を簡単にでき、仮名文字を非常に効率的に入力することができるという効果がある。
【０１０８】
請求項６に記載の発明によれば、各文字キーの近傍に数字等をそれぞれ表記したので、文字キーにこれらの数字等を表記する場合に比べて、各文字キーに表記する文字等の数を減らすことができて、表記文字を大きく見やすくできるという効果がある。
【０１０９】
請求項７に記載の発明によれば、カバーに設けられたキーボード部を使用せずに画面全体を見たい場合には、カバーを取り外すことにより、本体を軽量化した状態で使用できるという効果がある。
【０１１０】
請求項８に記載の発明によれば、カバーのキーボードを使用している際に、画面全体を見たい場合でも、わざわざカバーを本体から取り外すことなく本体に対してカバーを回動させるだけで、簡単に対応できるという効果がある。
【０１１１】
請求項９に記載の発明によれば、カバーを開いた状態では、カバーの裏面のキーボード部を利用して文字などを入力することができ、画面全体を外部に露出できるので、入力領域を大きくすることができる。一方、カバーを閉じた状態では、カバーの表面に設けられるキーボード部を利用して入力することができ、電子機器をコンパクトな状態で利用することができる。
従って、キーボード部を利用した２種類の入力方式を、利用者がシチュエーション等に応じてその都度適宜選択できるので、使い勝手のよい電子機器とすることができる。
【図面の簡単な説明】
【図１】本発明の第１実施形態に係る携帯情報端末を示す分解斜視図である。
【図２】前記携帯情報端末のカバーのキーボードを示す図である。
【図３】前記携帯情報端末を示す正面図である。
【図４】前記本体に対してカバーが回動する様子を示す斜視図である。
【図５】本発明の第２実施形態に係る携帯情報端末を示す斜視図である。
【図６】第２実施形態においてカバーを開いた状態を示す斜視図である。
【符号の説明】
１　携帯情報端末（電子機器）
２１〜３２　文字キー
５１〜６１　機能キー
１００　本体
１１０　液晶画面
１１１　ソフトキーボード（ソフトキー領域）
１１２　表示領域
２００　カバー
２１１，２１１Ａ，２１１Ｂ　キーボード（キーボード部）
２２０　透明板（窓部）
【図１】
2004046517.tif 000003
【図２】
2004046517.tif 000004
【図３】
2004046517.tif 000005
【図４】
2004046517.tif 000006
【図５】
2004046517.tif 000007
【図６】
2004046517.tif 000008